(57)【特許請求の範囲】
【請求項１】
表示部を備えた端末と、
前記端末がネットワークを介して接続したときに、前記端末の前記表示部にコンテンツ販売画面を表示するコンテンツ提供サーバと、
を具備し、
前記コンテンツ提供サーバは、
前記コンテンツ販売画面の販売棚に表示するための複数のコンテンツが格納されたデータベースと、
前記複数のコンテンツの各々が前記端末により購入されたときの累積売上と区分とが登録された累積売上登録テーブルと、
前記累積売上登録テーブルに登録された全てのコンテンツの中で、その累積売上が上位にランクインしているコンテンツを、前記コンテンツ販売画面の前記販売棚の売上ランキング欄に表示する売上コンテンツ表示制御部と、
前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するピックアップコンテンツ表示制御部と、
を備え、
前記潜在的需要を引き出す条件とは、
前記累積売上登録テーブルに登録された前記複数の区分のうちの前記特定の区分の売上が、他の区分の売上に対して、設定数以上を表している場合、かつ、
前記特定の区分の売上に対して、重み付けとして前記他の区分の数を乗算した数が、前記上位にランクインしているコンテンツの累積売上の数に相当する場合、
であることを特徴とするコンテンツ提供システム。
【請求項２】
前記複数の区分の各々は、地域であることを特徴とする請求項１に記載のコンテンツ提供システム。
【請求項３】
前記複数の区分の各々は、年齢であることを特徴とする請求項１又は２に記載のコンテンツ提供システム。
【請求項４】
前記複数の区分の各々は、日時であることを特徴とする請求項１から３のいずれか一項に記載のコンテンツ提供システム。
【請求項５】
前記端末は、複合機、携帯端末、パーソナルコンピュータを含むことを特徴とする請求項１から４のいずれか一項に記載のコンテンツ提供システム。
【請求項６】
前記端末が前記複合機であり、前記複合機により購入されるコンテンツが写真である場合、前記写真は購入時に前記複合機により印刷されることを特徴とする請求項５に記載のコンテンツ提供システム。
【請求項７】
端末がネットワークを介して接続したときに、前記端末の表示部にコンテンツ販売画面を表示するコンテンツ提供サーバであって、
前記コンテンツ販売画面の販売棚に表示するための複数のコンテンツが格納されたデータベースと、
前記複数のコンテンツの各々が前記端末により購入されたときの累積売上と区分とが登録された累積売上登録テーブルと、
前記累積売上登録テーブルに登録された全てのコンテンツの中で、その累積売上が上位にランクインしているコンテンツを、前記コンテンツ販売画面の前記販売棚の売上ランキング欄に表示する売上コンテンツ表示制御部と、
前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するピックアップコンテンツ表示制御部と、
を備え、
前記潜在的需要を引き出す条件とは、
前記累積売上登録テーブルに登録された前記複数の区分のうちの前記特定の区分の売上が、他の区分の売上に対して、設定数以上を表している場合、かつ、
前記特定の区分の売上に対して、重み付けとして前記他の区分の数を乗算した数が、前記上位にランクインしているコンテンツの累積売上の数に相当する場合、
であることを特徴とするコンテンツ提供サーバ。
【請求項８】
端末がネットワークを介して接続したときに、前記端末の表示部にコンテンツ販売画面を表示するコンテンツ提供サーバのコンテンツ提供方法であって、
前記コンテンツ販売画面の販売棚に表示するための複数のコンテンツの各々が前記端末により購入されたときの累積売上と区分とを累積売上登録テーブルに登録するステップと、
前記累積売上登録テーブルに登録された全てのコンテンツの中で、その累積売上が上位にランクインしているコンテンツを、前記コンテンツ販売画面の前記販売棚の売上ランキング欄に表示するステップと、
前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するステップと、
を含み、
前記潜在的需要を引き出す条件とは、
前記累積売上登録テーブルに登録された前記複数の区分のうちの前記特定の区分の売上が、他の区分の売上に対して、設定数以上を表している場合、かつ、
前記特定の区分の売上に対して、重み付けとして前記他の区分の数を乗算した数が、前記上位にランクインしているコンテンツの累積売上の数に相当する場合、
であることを特徴とするコンテンツ提供サーバのコンテンツ提供方法。
【発明の詳細な説明】
【技術分野】
【０００１】
本発明は、コンテンツを販売するための情報を提供するコンテンツ提供システム、コンテンツ提供サーバ、及び、コンテンツ提供方法に関する。
【背景技術】
【０００２】
ユーザがコンテンツをネットワーク上で購入することができるシステムが普及している。例えば、ユーザは、端末を操作して、好みのコンテンツをＷＥＢから購入することができる。ユーザが端末を用いてＷＥＢにアクセスしたときに、その端末の表示部には、コンテンツ販売画面が表示される。例えば、コンテンツ販売画面には、販売している全てのコンテンツのうちの、販売したばかり（いわゆる、新着）のコンテンツを表示するための販売棚が設けられている。新着のコンテンツは、多くのユーザにより注目されるため、多くのユーザにより購入される傾向にある。
【０００３】
多くのユーザにより購入されたコンテンツは、コンテンツ販売画面の販売棚に表示され続ける。すなわち、そのコンテンツは、よく売れているため、未だ購入していないユーザにも購入を勧めるように、コンテンツ販売画面の販売棚に表示されている。これにより、あるユーザが、コンテンツ販売画面の販売棚を参照することによって、よく売れているコンテンツのうちの、未だ購入していないコンテンツを購入する可能性がある。
【０００４】
一方、多くのユーザにより購入されないコンテンツは、コンテンツ販売画面の販売棚に表示されない。すなわち、そのコンテンツは、あまり売れないため、未だ購入していないユーザに購入を勧めることなく、コンテンツ販売画面の販売棚から削除される。
【０００５】
しかしながら、そのコンテンツが多くのユーザには売れていなくても、一部の地域や一部の年代などのユーザにだけ売れている場合がある。このようなコンテンツは、他のユーザに対しては未だ注目されていないだけで、売れるまでは時間がかかるかもしれないが、潜在的需要を引き出す可能性がある。すなわち、このようなコンテンツは、眠っている需要（潜在的需要）が、現実の需要（顕在的需要）に替わる可能性がある。
【０００６】
ところが、上述のように、多くのユーザにより購入されないコンテンツは、コンテンツ販売画面の販売棚に表示されなくなるため、一部の地域や一部の年代などのユーザにだけ売れているコンテンツも、コンテンツ販売画面の販売棚から削除されてしまう。このようなコンテンツが、未だ購入していないユーザに購入を勧めることなく、コンテンツ販売画面の販売棚から削除されてしまうことは、潜在的需要を引き出す可能性があるコンテンツに対して、販売機会を逃してしまうことになる。
【０００７】
コンテンツをネットワーク上に提供する技術について紹介する。
【０００８】
ユーザがコンテンツ（広告）をネットワーク上で閲覧することができる技術が特許文献１に開示されている。特許文献１に開示された技術では、例えば、ユーザ（閲覧者）は、端末（閲覧者端末）を操作して、検索条件に合致するコンテンツ（広告）を閲覧することができる。ユーザ（閲覧者）が端末（閲覧者端末）を用いて検索条件を入力したときに、その端末（閲覧者端末）の表示部には、検索条件に合致するコンテンツ（広告）が表示される。端末（閲覧者端末）の表示部に表示されたコンテンツ（広告）をユーザ（閲覧者）が印刷した場合、サーバ側で、その回数をカウントする。ユーザ（閲覧者）がコンテンツ（広告）の表示のみならず、印刷するという行為まで及ぶ場合、その印刷対象となるコンテンツは、ユーザ（閲覧者）にとっては重要な意味があるコンテンツである。広告主は、広告主端末を用いて、コンテンツ（広告）の印刷回数を閲覧することがで、コンテンツ（広告）の利用状況（効果）を把握することができる。
【０００９】
ユーザがコンテンツをネットワーク上でアクセスすることができる技術が特許文献２に開示されている。特許文献２に開示された技術では、例えば、ユーザは、端末（通信端末装置）を操作して、コンテンツをアクセスすることができる。ユーザが端末（通信端末装置）を用いてコンテンツをアクセスしたときに、情報提供装置は、各コンテンツに対するアクセスの頻度を表すアクセス頻度情報に基づいて、各ユーザ間のコンテンツへのアクセス傾向の類似性を表すユーザ間類似度を算出する。情報提供装置は、ユーザ間類似度により重み付けした各ユーザのアクセス頻度情報に基づいて、各ユーザにとってのコンテンツの有用度を表す情報であるコンテンツスコアを算出して、それをインデックスとする。情報提供装置は、そのインデックスを参照して、各ユーザにとって有用なコンテンツの情報（コンテンツ識別情報）を端末（通信端末装置）に送信する。
【００１０】
ユーザにコンテンツ（広告）をネットワーク上で提示する技術が特許文献３に開示されている。特許文献３に開示された技術では、例えば、ユーザは、端末（クライアント装置）を操作して、コンテンツ（広告）をアクセスすることができる。ユーザが端末（クライアント装置）を用いてコンテンツ（広告）をアクセスしたときに、広告管理システムは、各ユーザ（例えば、第１ユーザ、第２ユーザ）のコンテンツに対するアクセスに基づいて、各ユーザ（第１ユーザ、第２ユーザ）の関心に対して重み付けをし、各ユーザ（第１ユーザ、第２ユーザ）の関心の重みに基づいて、第１ユーザがアクセスし、かつ、第２ユーザが未だアクセスしていないコンテンツ（広告）を、第２ユーザの端末（クライアント装置）に送信する。
【先行技術文献】
【特許文献】
【００１１】
【特許文献１】特開２００７−８７０１７号公報
【特許文献２】特開２００９−２６５７５４号公報
【特許文献３】特開２０１４−６７４３８号公報
【発明の概要】
【発明が解決しようとする課題】
【００１２】
しかしながら、特許文献１に開示された技術では、多くのユーザ（閲覧者）により閲覧及び印刷されたコンテンツ（広告）は、上述したような、多くのユーザにより購入されたコンテンツに相当する。したがって、特許文献１に開示された技術では、一部の地域や一部の年代などのユーザにだけ売れているコンテンツに対しては、対応することができない。
【００１３】
また、特許文献２に開示された技術では、ユーザ間類似度が高い各ユーザがアクセスしたコンテンツは、上述したような、多くのユーザにより購入されたコンテンツに相当する。したがって、ユーザ間類似度を基に提示される、各ユーザにとって有用なコンテンツは、上述したような、よく売れているコンテンツのうちの、未だ購入していないコンテンツに相当する。そのため、特許文献２に開示された技術では、一部の地域や一部の年代などのユーザにだけ売れているコンテンツに対しては、対応することができない。
【００１４】
また、特許文献３に開示された技術では、関心度が高い各ユーザ（第１ユーザ、第２ユーザ）がアクセスしたコンテンツは、上述したような、多くのユーザにより購入されたコンテンツに相当する。したがって、各ユーザ（第１ユーザ、第２ユーザ）の関心を基に特定のユーザ（第２ユーザ）に提示されるコンテンツは、上述したような、よく売れているコンテンツのうちの、未だ購入していないコンテンツに相当する。そのため、特許文献３に開示された技術では、一部の地域や一部の年代などのユーザにだけ売れているコンテンツに対しては、対応することができない。
【００１５】
上述のように、一部の地域や一部の年代などのユーザにだけ売れているコンテンツは、潜在的需要を引き出す可能性がある。
【００１６】
したがって、本発明は、上記従来の問題点に鑑みてなされたものであって、潜在的需要を引き出す可能性があるコンテンツに対する販売機会を逃すことなく、そのコンテンツを未だ購入していないユーザに購入を勧めることができるコンテンツ提供システム、コンテンツ提供サーバ、及び、コンテンツ提供方法を提供することを目的とする。
【課題を解決するための手段】
【００１７】
本発明のコンテンツ提供システムは、表示部を備えた端末と、前記端末がネットワークを介して接続したときに、前記端末の前記表示部にコンテンツ販売画面を表示するコンテンツ提供サーバと、を具備し、前記コンテンツ提供サーバは、前記コンテンツ販売画面の販売棚に表示するための複数のコンテンツが格納されたデータベースと、前記複数のコンテンツの各々が前記端末により購入されたときの累積売上と区分とが登録された累積売上登録テーブルと、前記累積売上登録テーブルに登録された全てのコンテンツの中で、その累積売上が上位にランクインしているコンテンツを、前記コンテンツ販売画面の前記販売棚の売上ランキング欄に表示する売上コンテンツ表示制御部と、前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するピックアップコンテンツ表示制御部と、を備え、前記潜在的需要を引き出す条件とは、前記累積売上登録テーブルに登録された前記複数の区分のうちの前記特定の区分の売上が、他の区分の売上に対して、設定数以上を表している場合、かつ、前記特定の区分の売上に対して、重み付けとして前記他の区分の数を乗算した数が、前記上位にランクインしているコンテンツの累積売上の数に相当する場合、であることを特徴とする。
【００１８】
本発明のコンテンツ提供サーバは、端末がネットワークを介して接続したときに、前記端末の表示部にコンテンツ販売画面を表示するコンテンツ提供サーバであって、前記コンテンツ販売画面の販売棚に表示するための複数のコンテンツが格納されたデータベースと、前記複数のコンテンツの各々が前記端末により購入されたときの累積売上と区分とが登録された累積売上登録テーブルと、前記累積売上登録テーブルに登録された全てのコンテンツの中で、その累積売上が上位にランクインしているコンテンツを、前記コンテンツ販売画面の前記販売棚の売上ランキング欄に表示する売上コンテンツ表示制御部と、前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するピックアップコンテンツ表示制御部と、を備え、前記潜在的需要を引き出す条件とは、前記累積売上登録テーブルに登録された前記複数の区分のうちの前記特定の区分の売上が、他の区分の売上に対して、設定数以上を表している場合、かつ、前記特定の区分の売上に対して、重み付けとして前記他の区分の数を乗算した数が、前記上位にランクインしているコンテンツの累積売上の数に相当する場合、であることを特徴とする。
【００１９】
本発明のコンテンツ提供方法は、端末がネットワークを介して接続したときに、前記端末の表示部にコンテンツ販売画面を表示するコンテンツ提供サーバのコンテンツ提供方法であって、前記コンテンツ販売画面の販売棚に表示するための複数のコンテンツの各々が前記端末により購入されたときの累積売上と区分とを累積売上登録テーブルに登録するステップと、前記累積売上登録テーブルに登録された全てのコンテンツの中で、その累積売上が上位にランクインしているコンテンツを、前記コンテンツ販売画面の前記販売棚の売上ランキング欄に表示するステップと、前記累積売上登録テーブルに登録された前記全てのコンテンツの中で、その累積売上が上位にランクインしていないが、複数の区分のうちの特定の区分の売上に基づいて潜在的需要を引き出す条件を満たしているコンテンツを、前記コンテンツ販売画面の前記販売棚のピックアップ欄に表示するステップと、を含み、前記潜在的需要を引き出す条件とは、前記累積売上登録テーブルに登録された前記複数の区分のうちの前記特定の区分の売上が、他の区分の売上に対して、設定数以上を表している場合、かつ、前記特定の区分の売上に対して、重み付けとして前記他の区分の数を乗算した数が、前記上位にランクインしているコンテンツの累積売上の数に相当する場合、であることを特徴とする。
【発明の効果】
【００２０】
本発明によれば、潜在的需要を引き出す可能性があるコンテンツに対する販売機会を逃すことなく、そのコンテンツを未だ購入していないユーザに購入を勧めることができる。
【図面の簡単な説明】
【００２１】
【図１】本発明の第１実施形態に係るコンテンツ提供システムの構成を示すブロック図である。
【図２】売上日時登録テーブル１１２に登録されるデータを示している。
【図３】累積売上登録テーブル１１３に登録されるデータを示している。
【図４】本発明の第１実施形態に係るコンテンツ提供システムの動作（コンテンツ提供方法）を説明するための図であり、コンテンツ提供サーバ１００の動作を示すフローチャートである。
【図５】本発明の第１実施形態に係るコンテンツ提供システムの動作（コンテンツ提供方法）を説明するための図であり、初期画面２００を示す図である。
【図６】本発明の第１実施形態に係るコンテンツ提供システムの動作（コンテンツ提供方法）を説明するための図であり、プリントサービス画面２１０を示す図である。
【図７】本発明の第１実施形態に係るコンテンツ提供システムの動作（コンテンツ提供方法）を説明するための図であり、コンテンツプリントサービス画面２２０を示す図である。
【図８】本発明の第１実施形態に係るコンテンツ提供システムの動作（コンテンツ提供方法）を説明するための図であり、アイドルコンテンツ販売画面２３０を示す図である。
【図９】本発明の第１実施形態に係るコンテンツ提供システムの動作（コンテンツ提供方法）を説明するための図であり、コンテンツ購入画面２４０を示す図である。
【図１０】本発明の第１実施形態に係るコンテンツ提供システムの動作（コンテンツ提供方法）を説明するための図であり、決済画面２５０を示す図である。
【図１１】本発明の第１実施形態に係るコンテンツ提供システムの動作（コンテンツ提供方法）を説明するための図であり、支払い決定画面２６０を示す図である。
【図１２】本発明の第１実施形態に係るコンテンツ提供システムの動作（コンテンツ提供方法）を説明するための図であり、購入処理画面２７０を示す図である。
【図１３】本発明の第１実施形態に係るコンテンツ提供システムの動作（コンテンツ提供方法）を説明するための図であり、売上日時登録テーブル１１２に登録されるデータを示している。
【図１４】本発明の第１実施形態に係るコンテンツ提供システムの動作（コンテンツ提供方法）を説明するための図であり、累積売上登録テーブル１１３に登録されるデータを示している。
【発明を実施するための形態】
【００２２】
以下、図面を参照しながら本発明の実施形態について説明する。
【００２３】
［第１実施形態］
図１は、本発明の第１実施形態に係るコンテンツ提供システムの構成を示すブロック図である。図１に示されるように、本発明の第１実施形態に係るコンテンツ提供システムは、端末と、コンテンツ提供サーバ１００と、を具備している。端末とコンテンツ提供サーバ１００とは、ネットワークＮＥを介して接続されている。
【００２４】
端末は、コンテンツ提供システムにより提供されるコンテンツをユーザが購入するために利用される。端末としては、複合機１０、携帯端末２０、ＰＣ（パーソナルコンピュータ）３０が挙げられる。複合機１０は、例えば、コンビニエンスストア（以下、店舗）に設けられた端末である。携帯端末２０は、ユーザに携帯される端末である。ＰＣ３０は、例えば、ユーザの自宅に設けられた端末である。
【００２５】
複合機１０は、記憶部１１と、制御部１２と、表示部１３と、画像形成部（図示しない）と、を具備している。制御部１２は、ＣＰＵ（Central Processing Unit）であり、表示部１３、画像形成部を制御したり、通信機能を実現したりする。記憶部１１にはコンピュータプログラムが格納されている。制御部１２は、記憶部１１に格納されたコンピュータプログラムを実行し、その実行結果を表示部１３に表示する。画像形成部は、コピーやファクシミリ等の機能を実現する。
【００２６】
携帯端末２０は、記憶部２１と、制御部２２と、表示部２３と、を具備している。制御部２２は、ＣＰＵであり、表示部２３を制御したり、通信機能を実現したりする。記憶部２１にはコンピュータプログラムが格納されている。制御部２２は、記憶部２１に格納されたコンピュータプログラムを実行し、その実行結果を表示部２３に表示する。
【００２７】
ＰＣ３０は、記憶部３１と、制御部３２と、表示部３３と、を具備している。制御部３２は、ＣＰＵであり、表示部３３を制御したり、通信機能を実現したりする。記憶部３１にはコンピュータプログラムが格納されている。制御部３２は、記憶部３１に格納されたコンピュータプログラムを実行し、その実行結果を表示部３３に表示する。
【００２８】
コンテンツ提供サーバ１００は、記憶部１１０と、制御部１２０と、を具備している。
【００２９】
記憶部１１０は、データベース１１１と、売上日時登録テーブル１１２と、累積売上登録テーブル１１３と、を具備している。
【００３０】
データベース１１１には、後述のコンテンツ販売画面の販売棚に表示するための複数のコンテンツが、カテゴリ毎に、予め格納されている。
【００３１】
制御部１２０は、端末（複合機１０、携帯端末２０、ＰＣ３０）がネットワークＮＥを介して接続したときに、端末（複合機１０、携帯端末２０、ＰＣ３０）の表示部（表示部１３、２３、３３）に、後述のコンテンツ販売画面を表示する。その制御部１２０は、登録制御部１２１と、売上コンテンツ表示制御部１２２と、ピックアップコンテンツ表示制御部１２３と、を具備している。
【００３２】
図２は、売上日時登録テーブル１１２に登録されるデータを示している。
【００３３】
ユーザは、端末（図１の複合機１０、携帯端末２０、ＰＣ３０のいずれか）を用いて、後述のコンテンツ販売画面に表示されたコンテンツの中から、コンテンツを購入する。このときに、登録制御部１２１は、複数のコンテンツの各々が端末（図１の複合機１０、携帯端末２０、ＰＣ３０のいずれか）により購入されたときのカテゴリ、コンテンツ識別子、単価、個数、日時、区分を売上日時登録テーブル１１２に登録する。
【００３４】
ここで、複数の区分の各々は、地域である。複数の地域は、国でもよいし、都道府県でもよいし、地方（北海道、東北、関東・北陸、東海・中部、関西、中国・四国、九州・沖縄）でもよい。ここで、複数の地域は、地方とし、複数の地域ＡＲ１〜ＡＲ７（図３参照）と表記する。
【００３５】
また、端末が、店舗に設置された複合機１０（図１）である場合、ユーザは、複合機１０（図１）を操作して、好みのコンテンツを店舗から購入することができる。この場合、その店舗の場所（位置情報）が地域として売上日時登録テーブル１１２に登録される。
【００３６】
例えば、ユーザＡがアイドルのコンテンツ「ＣＩ１」を複合機１０（図１）で購入した場合（コンテンツが写真であり、その写真を印刷する場合も含む）、登録制御部１２１は、複数のコンテンツのうちの、複合機１０（図１）により購入されたコンテンツ「ＣＩ１」のカテゴリ「アイドル」、コンテンツ識別子（「ＣＩ１」の名称等）、単価「３００円」、個数「５」、日時「２０１５年５月１２日１０時３０分」と、複数の地域ＡＲ１〜ＡＲ７のうちの、上記複合機１０が設置された地域ＡＲ５と、を売上日時登録テーブル１１２に登録する。
【００３７】
同様に、ユーザＣがアイドルのコンテンツ「ＣＩ２」を複合機１０（図１）で購入した場合、登録制御部１２１は、複数のコンテンツのうちの、複合機１０（図１）により購入されたコンテンツ「ＣＩ２」のカテゴリ「アイドル」、コンテンツ識別子（「ＣＩ２」の名称等）、単価「４００円」、個数「１」、日時「２０１５年５月１３日１４時３０分」と、複数の地域ＡＲ１〜ＡＲ７のうちの、上記複合機１０が設置された地域ＡＲ１と、を売上日時登録テーブル１１２に登録する。
【００３８】
一方、端末が携帯端末２０（図１）やＰＣ３０（図１）である場合、ユーザは、携帯端末２０（図１）やＰＣ３０（図１）を操作して、好みのコンテンツをＷＥＢから購入することができる。この場合、ＷＥＢを利用したときの場所（位置情報）が地域として売上日時登録テーブル１１２に登録される。
【００３９】
例えば、ユーザＦがアイドルのコンテンツ「ＣＩ１」を携帯端末２０（図１）で購入した場合、登録制御部１２１は、複数のコンテンツのうちの、携帯端末２０（図１）により購入されたコンテンツ「ＣＩ１」のカテゴリ「アイドル」、コンテンツ識別子（「ＣＩ１」の名称等）、単価「３００円」、個数「８」、日時「２０１５年５月１５日１６時００分」と、複数の地域ＡＲ１〜ＡＲ７のうちの、ＷＥＢを利用したときの地域ＡＲ７と、を売上日時登録テーブル１１２に登録する。
【００４０】
同様に、ユーザＧがアイドルのコンテンツ「ＣＩ１００」を携帯端末２０（図１）で購入した場合、登録制御部１２１は、複数のコンテンツのうちの、携帯端末２０（図１）により購入されたコンテンツ「ＣＩ１００」のカテゴリ「アイドル」、コンテンツ識別子（「ＣＩ１００」の名称等）、単価「３００円」、個数「３」、日時「２０１５年５月１５日２０時３０分」と、複数の地域ＡＲ１〜ＡＲ７のうちの、ＷＥＢを利用したときの地域ＡＲ７と、を売上日時登録テーブル１１２に登録する。
【００４１】
図３は、累積売上登録テーブル１１３に登録されるデータを示している。
【００４２】
登録制御部１２１は、売上日時登録テーブル１１２に登録された情報を、カテゴリ毎に、累積売上登録テーブル１１３に反映させる。具体的には、累積売上登録テーブル１１３は、カテゴリ毎に、累積売上登録テーブル１１３Ａ、１１３Ｂ、１１３Ｃ…に分類される。例えば、累積売上登録テーブル１１３Ａは、カテゴリ「アイドル」に分類され、累積売上登録テーブル１１３Ｂは、カテゴリ「アニメ」に分類される。
【００４３】
カテゴリ「アイドル」については、登録制御部１２１は、複数のコンテンツの各々が端末（図１の複合機１０、携帯端末２０、ＰＣ３０）により購入されたときのコンテンツ識別子、単価、累積売上Ｓ、地域を累積売上登録テーブル１１３Ａに登録する。
【００４４】
例えば、累積売上登録テーブル１１３Ａには、コンテンツ「ＣＩ１」のコンテンツ識別子（「ＣＩ１」の名称等）、単価「３００円」、累積売上Ｓ「３００，０００円」と、地域として複数の地域ＡＲ１〜ＡＲ７の売上「５０，０００円」、「５０，０００円」、「６０，０００円」、「４０，０００円」、「３０，０００円」、「４０，０００円」、「３０，０００円」とが登録される。累積売上Ｓは、複数の地域ＡＲ１〜ＡＲ７の売上の累積数である。ここで、コンテンツ「ＣＩ１」は、複数のコンテンツの中で、累積売上Ｓが上位（例えば、１〜１０位）である１位のコンテンツであるため、登録制御部１２１は、順位「１位」に対応付けて、コンテンツ「ＣＩ１」のコンテンツ識別子（「ＣＩ１」の名称等）、単価「３００円」、累積売上Ｓ「３００，０００円」、複数の地域ＡＲ１〜ＡＲ７の売上「５０，０００円」、「５０，０００円」、「６０，０００円」、「４０，０００円」、「３０，０００円」、「４０，０００円」、「３０，０００円」を累積売上登録テーブル１１３Ａに登録する。
【００４５】
同様に、累積売上登録テーブル１１３Ａには、コンテンツ「ＣＩ２」のコンテンツ識別子（「ＣＩ２」の名称等）、単価「４００円」、累積売上Ｓ「２００，０００円」と、地域として複数の地域ＡＲ１〜ＡＲ７の売上「３０，０００円」、「３５，０００円」、「３０，０００円」、「３５，０００円」、「３０，０００円」、「２０，０００円」、「２０，０００円」とが登録される。ここで、コンテンツ「ＣＩ２」は、複数のコンテンツの中で、累積売上Ｓが上位（１〜１０位）である１０位のコンテンツであるため、登録制御部１２１は、順位「１０位」に対応付けて、コンテンツ「ＣＩ２」のコンテンツ識別子（「ＣＩ２」の名称等）、単価「４００円」、累積売上Ｓ「２００，０００円」、複数の地域ＡＲ１〜ＡＲ７の売上「３０，０００円」、「３５，０００円」、「３０，０００円」、「３５，０００円」、「３０，０００円」、「２０，０００円」、「２０，０００円」を累積売上登録テーブル１１３Ａに登録する。
【００４６】
同様に、累積売上登録テーブル１１３Ａには、コンテンツ「ＣＩ１００」のコンテンツ識別子（「ＣＩ１００」の名称等）、単価「３００円」、累積売上Ｓ「６０，０００円」と、地域として複数の地域ＡＲ１〜ＡＲ７の売上「０円」、「０円」、「０円」、「０円」、「０円」、「１０，０００円」、「５０，０００円」とが登録される。ここで、コンテンツ「ＣＩ１００」は、複数のコンテンツの中で、累積売上Ｓが上位（１〜１０位）ではない５００位のコンテンツであるため、登録制御部１２１は、順位「圏外」に対応付けて、コンテンツ「ＣＩ１００」のコンテンツ識別子（「ＣＩ１００」の名称等）、単価「３００円」、累積売上Ｓ「６０，０００円」、複数の地域ＡＲ１〜ＡＲ７の売上「０円」、「０円」、「０円」、「０円」、「０円」、「１０，０００円」、「５０，０００円」を累積売上登録テーブル１１３Ａに登録する。
【００４７】
売上コンテンツ表示制御部１２２は、カテゴリがアイドルの累積売上登録テーブル１１３Ａに登録された全てのコンテンツの中で、累積売上Ｓが上位（１〜１０位）にランクインしているコンテンツ（コンテンツ「ＣＩ１」、コンテンツ「ＣＩ２」を含む）を、後述のアイドルコンテンツ販売画面２３０（図８参照）の販売棚２３１（図８参照）の売上ランキング欄２３２（図８参照）に表示する。
【００４８】
具体的には、累積売上Ｓが上位にランクインしているコンテンツ（コンテンツ「ＣＩ１」、コンテンツ「ＣＩ２」）は、複数の地域ＡＲ１〜ＡＲ７の各々で人気があり、各地域ＡＲ１〜ＡＲ７の売上の差が設定数（例えば、５０，０００円）ほどない。この場合、登録制御部１２１は、累積売上Ｓが上位にランクインしているコンテンツ（コンテンツ「ＣＩ１」、コンテンツ「ＣＩ２」）の識別子に対応付けて、重み付けＷとして「１」を登録する。
【００４９】
累積売上Ｓが上位にランクインしているコンテンツ（コンテンツ「ＣＩ１」、コンテンツ「ＣＩ２」）は、累積売上Ｓの数字がそのまま順位に反映される。
【００５０】
新着のコンテンツは、多くのユーザにより注目されるため、多くのユーザにより購入される傾向にある。多くのユーザにより購入されたコンテンツ（コンテンツ「ＣＩ１」、コンテンツ「ＣＩ２」）は、後述のアイドルコンテンツ販売画面２３０（図８参照）の販売棚２３１（図８参照）に表示され続ける。すなわち、そのコンテンツ（コンテンツ「ＣＩ１」、コンテンツ「ＣＩ２」）は、よく売れているため、未だ購入していないユーザにも購入を勧めるように、アイドルコンテンツ販売画面２３０（図８参照）の販売棚２３１（図８参照）に表示されている。これにより、あるユーザが、アイドルコンテンツ販売画面２３０（図８参照）の販売棚２３１（図８参照）を参照することによって、よく売れているコンテンツ（コンテンツ「ＣＩ１」、コンテンツ「ＣＩ２」）のうちの、未だ購入していないコンテンツを購入する可能性がある。
【００５１】
例えば、コンテンツ「ＣＩ１」については、累積売上Ｓが「３００，０００円」であり、各地域ＡＲ１〜ＡＲ７の売上に設定数（５０，０００円）の差がないので、重み付けＷは「１」となる。すなわち、そのポイントは、Ｐ＝Ｓ×Ｗ＝３００，０００×１により、「３００，０００ポイント」となる。例えば、コンテンツ「ＣＩ１」は、「３００，０００ポイント」で売上が１位となり、売上コンテンツ表示制御部１２２は、そのコンテンツ「ＣＩ１」を、後述のアイドルコンテンツ販売画面２３０（図８参照）の販売棚２３１（図８参照）の売上ランキング欄２３２（図８参照）に表示する。
【００５２】
ピックアップコンテンツ表示制御部１２３は、カテゴリがアイドルの累積売上登録テーブル１１３Ａに登録された全てのコンテンツの中で、累積売上Ｓが上位（１〜１０位）にランクインしていないが、複数の地域ＡＲ１〜ＡＲ７のうちの特定の地域の売上に基づいて潜在的需要を引き出す条件を満たしているコンテンツ（例えば、コンテンツ「ＣＩ１００」）を、後述のアイドルコンテンツ販売画面２３０（図８参照）の販売棚２３１（図８参照）のピックアップ欄２３３（図８参照）に表示する。
【００５３】
具体的には、累積売上Ｓが上位にランクインしていないコンテンツ（コンテンツ「ＣＩ１００」）は、複数の地域ＡＲ１〜ＡＲ７のうちの、地域ＡＲ１〜ＡＲ５では全く人気がなく、地域ＡＲ６でやや人気があるが、地域ＡＲ７だけ人気がある。しかし、コンテンツ「ＣＩ１００」は、地域ＡＲ１〜ＡＲ６に対しては、未だ注目されていないだけで、潜在的需要を引き出す可能性がある。
【００５４】
通常であれば、多くのユーザにより購入されないコンテンツ（コンテンツ「ＣＩ１００」）は、後述のアイドルコンテンツ販売画面２３０（図８参照）の販売棚２３１（図８参照）に表示されない。しかしながら、そのコンテンツ（コンテンツ「ＣＩ１００」）が多くのユーザには売れていなくても、一部のユーザにだけ売れている場合がある。このようなコンテンツ（コンテンツ「ＣＩ１００」）は、他のユーザに対しては未だ注目されていないだけで、売れるまでは時間がかかるかもしれないが、潜在的需要を引き出す可能性がある。すなわち、このようなコンテンツ（コンテンツ「ＣＩ１００」）は、眠っている需要（潜在的需要）が、現実の需要（顕在的需要）に替わる可能性がある。
【００５５】
このようなコンテンツ（コンテンツ「ＣＩ１００」）が、未だ購入していないユーザに購入を勧めることなく、アイドルコンテンツ販売画面２３０（図８参照）の販売棚２３１（図８参照）から削除されてしまうことは、潜在的需要を引き出す可能性があるコンテンツの販売機会を逃してしまうことになる。そこで、登録制御部１２１は、コンテンツ「ＣＩ１００」が潜在的需要を引き出す条件を満たしている否かを判定する。潜在的需要を引き出す条件として、２つの条件が設定されている。
【００５６】
（条件１）
まず、潜在的需要を引き出す条件の１つ目は、複数の区分（地域ＡＲ１〜ＡＲ７）のうちの特定の区分（例えば、地域ＡＲ７）の売上が、他の区分（例えば、地域ＡＲ１〜ＡＲ５）の売上に対して、設定数（５０，０００円）以上を表している場合である。
【００５７】
この場合、地域ＡＲ７の売上が、４つの地域ＡＲ１〜ＡＲ５の売上に比べて設定数（５０，０００円）の差があるので、重み付けＷに、地域ＡＲ１〜ＡＲ５の数として５が加算される（Ｗ＝５）。登録制御部１２１は、コンテンツ「ＣＩ１００」の識別子に対応付けて、重み付けＷとして「５」を登録する。
【００５８】
累積売上Ｓが上位にランクインしていないコンテンツ（コンテンツ「ＣＩ１００」）は、累積売上Ｓに重み付けＷを考慮した数字が順位に反映される。
【００５９】
（条件２）
潜在的需要を引き出す条件の２つ目は、特定の区分（例えば、地域ＡＲ７）の売上に対して、重み付けとして他の区分（例えば、地域ＡＲ１〜ＡＲ５）の数を乗算した数が、上位（売上が１〜１０位）にランクインしているコンテンツの累積売上Ｓの数に相当する場合である。
【００６０】
例えば、コンテンツ「ＣＩ１００」については、累積売上Ｓが「６０，０００円」であるが、地域ＡＲ７の売上が、５つの地域ＡＲ１〜ＡＲ５の売上に比べて設定数（５０，０００円）の差があるので、重み付けＷは、地域ＡＲ１〜ＡＲ５の数である５となる。すなわち、そのポイントは、Ｐ＝Ｓ×Ｗ＝６０，０００×５により、「３００，０００ポイント」となる。例えば、コンテンツ「ＣＩ１００」は、「３００，０００ポイント」で、売上が上位（１〜１０位）のコンテンツ（コンテンツ「ＣＩ１」）と同じポイントとなり、ピックアップコンテンツ表示制御部１２３は、そのコンテンツ「ＣＩ１００」を、後述のアイドルコンテンツ販売画面２３０（図８参照）の販売棚２３１（図８参照）のピックアップ欄２３３（図８参照）に表示する。
【００６１】
次に、本発明の第１実施形態に係るコンテンツ提供システムにおけるコンテンツ提供サーバ１００の動作について説明する。ここで、ユーザＺが、地域ＡＲ３に配置された複合機１０（図１）を用いて、アイドルのコンテンツを複合機１０（図１）で購入する場合（コンテンツが写真であり、その写真を印刷する場合）について説明する。
【００６２】
図４〜１２は、本発明の第１実施形態に係るコンテンツ提供システムの動作（コンテンツ提供方法）を説明するための図である。図４は、コンテンツ提供サーバ１００の動作を示すフローチャートである。図５は、初期画面２００を示す図である。図６は、プリントサービス画面２１０を示す図である。図７は、コンテンツプリントサービス画面２２０を示す図である。図８は、アイドルコンテンツ販売画面２３０を示す図である。図９は、コンテンツ購入画面２４０を示す図である。図１０は、決済画面２５０を示す図である。図１１は、支払い決定画面２６０を示す図である。図１２は、購入処理画面２７０を示す図である。
【００６３】
まず、コンテンツ提供サーバ１００の制御部１２０は、図５に示されるような初期画面２００を複合機１０（図１）の表示部１３（図１）に表示する。初期画面２００は、サービスとして「コピー」、「ファックス」、「写真サービス」、「プリントサービス」、「スキャンサービス」、「行政サービス」をそれぞれ選択するための表示ボタン２０１〜２０６を含んでいる（図４のステップＳ１；初期画面表示処理）。
【００６４】
例えば、ユーザＺが初期画面２００上の「プリントサービス」の表示ボタン２０４を押した場合、コンテンツ提供サーバ１００の制御部１２０は、図６に示されるようなプリントサービス画面２１０を複合機１０（図１）の表示部１３（図１）に表示する。プリントサービス画面２１０は、プリントサービスとして「ＰＤＦプリント」、「写真プリント」、「ネットワークプリント」、「コンテンツプリント」をそれぞれ選択するための表示ボタン２１１〜２１４を含んでいる（図４のステップＳ２；プリントサービス画面表示処理）。
【００６５】
例えば、ユーザＺがプリントサービス画面２１０上の「コンテンツプリント」の表示ボタン２１４を押した場合、コンテンツ提供サーバ１００の制御部１２０は、図７に示されるようなコンテンツプリントサービス画面２２０を複合機１０（図１）の表示部１３（図１）に表示する。コンテンツプリントサービス画面２２０は、コンテンツのプリントサービスとして「アイドル」、「アニメ」、「グラビア」をそれぞれ選択するための表示ボタン２２１〜２２３を含んでいる（図４のステップＳ３；コンテンツプリントサービス画面表示処理）。
【００６６】
例えば、ユーザＺがコンテンツプリントサービス画面２２０上の「アイドル」の表示ボタン２２１を押した場合、コンテンツ提供サーバ１００の制御部１２０は、図８に示されるようなアイドルコンテンツ販売画面２３０を複合機１０（図１）の表示部１３（図１）に表示する。アイドルコンテンツ販売画面２３０は、複数のアイドルのコンテンツ（写真）を表示するための販売棚２３１を含んでいる。その販売棚２３１は、累積売上Ｓが上位にランクインしているコンテンツ（写真）を表示するための売上ランキング欄２３２と、累積売上Ｓが上位（１〜１０位）にランクインしていないが、複数の地域ＡＲ１〜ＡＲ７のうちの特定の地域の売上に基づいて潜在的需要を引き出す条件を満たしているコンテンツ（写真）を表示するためのピックアップ欄２３３と、を含んでいる。売上ランキング欄２３２は、累積売上Ｓが上位にランクインしているコンテンツである「写真１」〜「写真１０」のうちの１つのコンテンツを選択するための表示ボタンを含んでいる。「写真１」〜「写真１０」は、累積売上Ｓが１〜１０位にランクインしているコンテンツである。売上ランキング欄２３２は、累積売上Ｓが上位（１〜１０位）の次にランクインしている１１〜２０位のコンテンツ「次の１０枚」をユーザの操作により表示するための表示ボタン２３２ａを含んでいる。ピックアップ欄２３３は、累積売上Ｓが上位（１〜１０位）にランクインしていないが、複数の地域ＡＲ１〜ＡＲ７のうちの特定の地域の売上に基づいて潜在的需要を引き出す条件を満たしているコンテンツである「写真Ｘ１」〜「写真Ｘ２」のうちの１つのコンテンツを選択するための表示ボタンを含んでいる（図４のステップＳ４；コンテンツ販売画面表示処理）。
【００６７】
コンテンツ販売画面表示処理（図４のステップＳ４）において、売上コンテンツ表示制御部１２２は、カテゴリがアイドルの累積売上登録テーブル１１３Ａに登録された全てのコンテンツの中で、累積売上Ｓが上位（１〜１０位）にランクインしているコンテンツ（コンテンツ「ＣＩ１」、コンテンツ「ＣＩ２」を含む）を、アイドルコンテンツ販売画面２３０の販売棚２３１の売上ランキング欄２３２に表示する。例えば、売上ランキング欄２３２に表示された「写真１」、「写真１０」は、それぞれ、コンテンツ「ＣＩ１」、コンテンツ「ＣＩ２」を表している。
【００６８】
また、コンテンツ販売画面表示処理（図４のステップＳ４）において、ピックアップコンテンツ表示制御部１２３は、カテゴリがアイドルの累積売上登録テーブル１１３Ａに登録された全てのコンテンツの中で、累積売上Ｓが上位（１〜１０位）にランクインしていないが、複数の地域ＡＲ１〜ＡＲ７のうちの特定の地域（地域ＡＲ７）の売上に基づいて潜在的需要を引き出す条件を満たしているコンテンツ（コンテンツ「ＣＩ１００」）を、アイドルコンテンツ販売画面２３０の販売棚２３１のピックアップ欄２３３に表示する。例えば、ピックアップ欄２３３に表示された「写真Ｘ１」は、コンテンツ「ＣＩ１００」を表している。
【００６９】
例えば、ユーザＺがアイドルコンテンツ販売画面２３０上の「写真Ｘ１」の表示ボタンを押した場合、コンテンツ提供サーバ１００の制御部１２０は、図９に示されるようなコンテンツ購入画面２４０を複合機１０（図１）の表示部１３（図１）に表示する。コンテンツ購入画面２４０は、選択されたコンテンツ「ＣＩ１００」を表す「写真Ｘ１」を表示するための選択表示欄２４１と、そのコンテンツ「ＣＩ１００」の購入する場合の数を入力するための入力欄２４２と、そのコンテンツ「ＣＩ１００」の購入を決定するための表示ボタン２４３「ＹＥＳ」と、そのコンテンツ「ＣＩ１００」の購入を中止するための表示ボタン２４４「ＮＯ」とを含んでいる。選択表示欄２４１に表示された「写真Ｘ１」は、アイドルコンテンツ販売画面２３０で表示されたときのサイズよりも拡大されている（図４のステップＳ５；コンテンツ購入画面表示処理）。
【００７０】
例えば、ユーザＺが入力欄２４２に「１０」を入力し、コンテンツ購入画面２４０上の表示ボタン２４３「ＹＥＳ」を押した場合、コンテンツ提供サーバ１００の制御部１２０は、図１０に示されるような決済画面２５０を複合機１０（図１）の表示部１３（図１）に表示する。決済画面２５０は、支払いとして「現金で支払う」、「カードで支払う」をそれぞれ選択するための表示ボタン２４１〜２４２を含んでいる（図４のステップＳ６；決済画面表示処理）。
【００７１】
例えば、ユーザＺが決済画面２５０上の「現金で支払う」の表示ボタン２４１を押した場合、コンテンツ提供サーバ１００の制御部１２０は、図１１に示されるような支払い決定画面２６０を複合機１０（図１）の表示部１３（図１）に表示する。支払い決定画面２６０は、そのコンテンツ「ＣＩ１００」の支払い金額（または、課金装置に投入する金額）を表示するための金額表示欄２６１と、そのコンテンツ「ＣＩ１００」の購入を決定するための表示ボタン２６２「ＹＥＳ」と、そのコンテンツの購入を中止するための表示ボタン２６３「ＮＯ」とを含んでいる。例えば、表示欄２６１には、「合計３，０００円を投入してください。」が表記されている（図４のステップＳ７；支払い決定画面表示処理）。
【００７２】
例えば、ユーザＺが表示欄２６１に表示された金額を支払い（または、課金装置に投入し）、決済画面２５０上の表示ボタン２６２「ＹＥＳ」を押した場合、コンテンツ提供サーバ１００の制御部１２０は、図１２に示されるような購入処理画面２７０を複合機１０（図１）の表示部１３（図１）に表示する。このとき、コンテンツ提供サーバ１００の制御部１２０は、コンテンツ「ＣＩ１００」と印刷制御信号とを複合機１０（図１）に送信する。複合機１０（図１）の画像形成部（図示しない）は、印刷制御信号に応じて、コンテンツ「ＣＩ１００」を表す「写真Ｘ１」を印刷する（図４のステップＳ８；購入処理画面表示処理）。
【００７３】
ここで、ユーザＺがアイドルのコンテンツ「ＣＩ１００」を複合機１０（図１）で購入したので、図１３に示されるように、登録制御部１２１は、複数のコンテンツのうちの、複合機１０（図１）により購入されたコンテンツ「ＣＩ１００」のカテゴリ「アイドル」、コンテンツ識別子（「ＣＩ１００」の名称等）、単価「３００円」、日時「２０１５年５月１５日２３時３０分」と、複数の地域ＡＲ１〜ＡＲ７のうちの、上記複合機１０が設置された地域ＡＲ３と、を売上日時登録テーブル１１２に登録する（図４のステップＳ９；売上日時登録処理）。
【００７４】
また、図１４に示されるように、登録制御部１２１は、複数のコンテンツのうちの、複合機１０（図１）により購入されたコンテンツ「ＣＩ１００」のコンテンツ識別子（「ＣＩ１００」の名称等）、単価「３００円」に対応付けて、累積売上Ｓ「６０，０００円」に「３００円」を加算した金額「６３，０００円」を累積売上登録テーブル１１３Ａに登録し、地域として地域ＡＲ３に「３，０００円」を累積売上登録テーブル１１３Ａに登録する。ここで、コンテンツ「ＣＩ１００」については、地域ＡＲ７の売上が、４つの地域ＡＲ１〜ＡＲ２、ＡＲ４〜ＡＲ５の売上に比べて設定数（５０，０００円）の差があるので、重み付けＷは、地域ＡＲ１〜ＡＲ２、ＡＲ４〜ＡＲ５の数である４となる。すなわち、そのポイントは、Ｐ＝Ｓ×Ｗ＝６３，０００×４により、「２５２，０００ポイント」となる（図４のステップＳ１０；累積売上登録処理）。
【００７５】
以上の説明により、本発明の第１実施形態に係るコンテンツ提供システムは、図１、８に示されるように、表示部（表示部１３、２３、３３）を備えた端末（複合機１０、携帯端末２０、ＰＣ３０）と、端末（複合機１０、携帯端末２０、ＰＣ３０）がネットワークＮＥを介して接続したときに、端末（複合機１０、携帯端末２０、ＰＣ３０）の表示部（表示部１３、２３、３３）にコンテンツ販売画面２３０を表示するコンテンツ提供サーバ１００と、を具備している。図１、３、８に示されるように、コンテンツ提供サーバ１００は、コンテンツ販売画面２３０の販売棚２３１に表示するための複数のコンテンツが格納されたデータベース１１１と、複数のコンテンツの各々が端末（複合機１０、携帯端末２０、ＰＣ３０）により購入されたときの累積売上と区分とが登録された累積売上登録テーブル１１３と、累積売上登録テーブル１１３に登録された全てのコンテンツの中で、その累積売上Ｓが上位にランクインしているコンテンツ（コンテンツ「ＣＩ１」、コンテンツ「ＣＩ２」）を、コンテンツ販売画面２３０の販売棚２３１の売上ランキング欄２３２に表示する売上コンテンツ表示制御部１２２と、累積売上登録テーブル１１３に登録された全てのコンテンツの中で、その累積売上Ｓが上位にランクインしていないが、複数の区分のうちの特定の区分の売上に基づいて潜在的需要を引き出す条件を満たしているコンテンツ（コンテンツ「ＣＩ１００」）を、コンテンツ販売画面２３０の販売棚２３１のピックアップ欄２３３に表示するピックアップコンテンツ表示制御部１２３と、を具備している。
【００７６】
また、本発明の第１実施形態に係るコンテンツ提供システムにおいて、図３に示されるように、潜在的需要を引き出す条件とは、累積売上登録テーブル１１３に登録された複数の区分のうちの特定の区分の売上が、他の区分の売上に対して、設定数以上を表している場合、かつ、特定の区分の売上に対して、重み付けＷとして他の区分の数を乗算した数が、上位にランクインしているコンテンツ（コンテンツ「ＣＩ１」、コンテンツ「ＣＩ２」）の累積売上Ｓの数に相当する場合である。
【００７７】
また、本発明の第１実施形態に係るコンテンツ提供システムにおいて、図３に示されるように、複数の区分の各々は、地域（地域ＡＲ１〜ＡＲ７）である。
【００７８】
また、本発明の第１実施形態に係るコンテンツ提供システムにおいて、図１に示されるように、端末は、複合機１０、携帯端末２０、パーソナルコンピュータ３０を含んでいる。
【００７９】
また、本発明の第１実施形態に係るコンテンツ提供システムにおいて、図１、４〜１２に示されるように、端末が複合機１０であり、複合機１０により購入されるコンテンツが写真である場合、写真は購入時に複合機１０により印刷される。
【００８０】
このように、本発明の第１実施形態に係るコンテンツ提供システムによれば、潜在的需要を引き出す可能性があるコンテンツ（コンテンツ「ＣＩ１００」）に対する販売機会を逃すことなく、そのコンテンツ（コンテンツ「ＣＩ１００」）を未だ購入していないユーザに購入を勧めることができる。
【００８１】
［第２実施形態］
本発明の第１実施形態に係るコンテンツ提供システムでは、複数の区分の各々は、地域（地域ＡＲ１〜ＡＲ７）であるが、これに限定されない。例えば、複数の区分の各々は、地域（地域ＡＲ１〜ＡＲ７）ではなく、年齢でもよい。その年齢が年代である場合、第１実施形態における複数の地域ＡＲ１〜ＡＲ７を年代（１０歳以下、１１〜２０歳、２１〜３０歳、３１〜４０歳、４１〜５０歳、５１〜６０歳、６１歳以上）に置き換え可能である。
【００８２】
［第３実施形態］
本発明の第１実施形態に係るコンテンツ提供システムでは、複数の区分の各々は、地域（地域ＡＲ１〜ＡＲ７）であるが、これに限定されない。例えば、複数の区分の各々は、地域（地域ＡＲ１〜ＡＲ７）ではなく、日時でもよい。その日時が曜日である場合、第１実施形態における複数の地域ＡＲ１〜ＡＲ７を曜日（日曜、月曜、火曜、水曜、木曜、金曜、土曜）に置き換え可能である。
【００８３】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００８４】
１０  …  複合機
１１  …  記憶部
１２  …  制御部
１３  …  表示部
２０  …  携帯端末
２１  …  記憶部
２２  …  制御部
２３  …  表示部
３０  …  ＰＣ
３１  …  記憶部
３２  …  制御部
３３  …  表示部
１００  …  コンテンツ提供サーバ
１１０  …  記憶部
１１１  …  データベース
１１２  …  売上日時登録テーブル
１１３、１１３Ａ〜１１３Ｃ  …  累積売上登録テーブル
１２０  …  制御部
１２１  …  登録制御部
１２２  …  売上コンテンツ表示制御部
１２３  …  ピックアップコンテンツ表示制御部
２００  …  初期画面
２０１〜２０６  …  表示ボタン
２１０  …  プリントサービス画面
２１１〜２１４  …  表示ボタン
２２０  …  コンテンツプリントサービス画面
２２１〜２２３  …  表示ボタン
２３０  …  アイドルコンテンツ販売画面
２３１  …  販売棚
２３２  …  売上ランキング欄
２３２ａ  …  表示ボタン
２３３  …  ピックアップ欄
２４０  …  コンテンツ購入画面
２４１  …  選択表示欄
２４２  …  入力欄
２４３〜２４４  …  表示ボタン
２５０  …  決済画面
２５１〜２５２  …  表示ボタン
２６０  …  支払い決定画面
２６１  …  金額表示欄
２６２〜２６３  …  表示ボタン
２７０  …  購入処理画面
【図１】
0006664168.tif 000002
【図２】
0006664168.tif 000003
【図３】
0006664168.tif 000004
【図４】
0006664168.tif 000005
【図５】
0006664168.tif 000006
【図６】
0006664168.tif 000007
【図７】
0006664168.tif 000008
【図８】
0006664168.tif 000009
【図９】
0006664168.tif 000010
【図１０】
0006664168.tif 000011
【図１１】
0006664168.tif 000012
【図１２】
0006664168.tif 000013
【図１３】
0006664168.tif 000014
【図１４】
0006664168.tif 000015